(57)【要約】【課題】治具に携帯端末を装着した後、携帯端末ごと治具を天地裏返す操作と、水平状態に安定に保持する操作とが１つの操作で簡単に行うことができる携帯端末用の治具を提供する。【解決手段】治具１００は、携帯端末２００（不図示）が装着される回転台１１０と、回転台１１０を支える土台１２０を有する。回転台１１０は、取っ手９を天側に持ち上げながら回転させることで、水平な回転軸上の第１軸部７及び第２軸部８（不図示）を中心に１８０度回転する。回転角０度のときは、第１軸部７は、第１軸支持穴５７ａで支持され、４５度、９０度等の回転に伴い、第１軸支持穴５７ａに繋がる第１軸ガイド穴５７ｂの内縁に沿って移動する。また、回転角０度のときは、第１係止部１、第２係止部２は、それぞれ、第１係止受け部５１、第２係止受け部５２で係止され、４５度、９０度等の回転に伴い、第１ベアリング５は、第１ベアリングガイド面５５上を移動する。【選択図】図４
2010162625.tif 000002
【特許請求の範囲】
【請求項１】
土台と、この土台に支えられ、水平な回転軸を中心にして回転する回転台とを備える治具であって、
前記回転台は、
前記回転軸の両端部の第１の軸部および第２の軸部と、
前記回転軸全体を含む一平面上で、前記第１の軸部と第２の軸部間の第１の軸部側寄りの位置で回転軸を挟んで直交して対峙する第１の係止部および第２の係止部と、
前記第１の係止部に取り付けられた第１のベアリングと、
前記一平面上で、前記第１の軸部と第２の軸部間の第２の軸部側寄りの位置で回転軸を挟んで直交して対峙する第３の係止部および第４の係止部と、
前記第３の係止部に取り付けられて、前記第１のベアリングと同じ直交方向に位置する第２のベアリングと、
前記一平面上で、前記第２の軸部の近傍で、前記第１のベアリングと逆の直交方向に位置する取っ手と、
携帯端末の第１の作業面およびその裏側の第２の作業面が前記一平面に平行になるように携帯端末を装着する端末装着部とを
備え、
前記土台は、
前記回転台の前記一平面が水平な状態のときに前記第１の軸部を支持する第１の軸支持穴が形成され、前記回転台の取っ手を天方向に持ち上げながら前記回転軸を中心に回転中のときに前記第１の軸部のガイドとなる第１のガイド穴が前記第１の軸支持穴に繋がって形成された第１の軸受け部と、
前記回転台の前記一平面が水平な状態のときに前記第２の軸部を支持する第２の軸支持穴が形成され、前記回転台の取っ手を天方向に持ち上げながら前記回転軸を中心に回転中のときに前記第２の軸部のガイドとなる第２のガイド穴が前記第２の軸支持穴に繋がって形成された第２の軸受け部と、
前記回転台の前記一平面が水平な状態のときに前記第１の係止部および第２の係止部をそれぞれ支持する第１の係止受け部および第２の係止受け部が形成され、前記回転台の取っ手を天方向に持ち上げながら前記回転軸を中心に回転中のときに前記第１のベアリングのガイドとなる円弧状の凹部が前記第１の係止受け部と第２の係止受け部間に形成された第１のベアリング受け部と、
前記回転台の前記一平面が水平な状態のときに前記第３の係止部および第４の係止部をそれぞれ支持する第３の係止受け部および第４の係止受け部が形成され、前記回転台の取っ手を天方向に持ち上げながら前記回転軸を中心に回転中のときに前記第２のベアリングのガイドとなる円弧状の凹部が前記第３の係止受け部と第４の係止受け部間に形成された第２のベアリング受け部と
を備えることを特徴とする治具。
【請求項２】
前記回転台の前記一平面が水平な状態から、前記回転台の取っ手を天方向に持ち上げながら前記回転台を１８０度回転させて裏返した状態では、前記第１の軸部は第１の軸支持穴で支持され、前記第２の軸部は第２の軸支持穴で支持され、前記前記第１の係止部は前記第２の係止受け部で支持され、前記第２の係止部は前記第１の係止受け部で支持され、前記前記第３の係止部は前記第４の係止受け部で支持され、前記前記第４の係止部は前記第３の係止受け部で支持され、さらに、前記回転台の取っ手を天方向に持ち上げながら前記回転台を逆方向に１８０度回転させて、元の状態に戻ることを特徴とする請求項１記載の治具。
【請求項３】
前記回転台の前記一平面が水平な状態では、前記第１の軸部は第１の軸支持穴の地面側で支持され、前記第２の軸部は第２の軸支持穴で支持され、前記第１の係止部および第２の係止部とそれぞれ支持する第１の係止受け部または第２の係止受け部との天地方向間に若干の隙間があり、前記第３の係止部および第４の係止部とそれぞれ支持する第３の係止受け部または第４の係止受け部との天地方向間に若干の隙間があることを特徴とする請求項１記載の治具。
【請求項４】
前記第１の軸部、第２の軸部、第１の軸受け部、第２の軸受け部は、金属性であることを特徴とする請求項１記載の治具。
【請求項５】
前記回転台の端末装着部は、前記一平面が回転して天地反転の両水平状態において、携帯端末の第１の作業面およびその裏側の第２の作業面それぞれを天側から見通しできる見通し穴が形成されていることを特徴とする請求項１記載の治具。
【請求項６】
前記端末装着部は、前記携帯端末の第２の作業面側を保持する第２の作業面受け部と、前記第２の作業面受け部とヒンジで開閉自在に連結され、前記携帯端末の第１の作業面側を保持する第１の作業面受け部とを有することを特徴とする請求項１記載の治具。
【発明の詳細な説明】
【技術分野】
【０００１】
本発明は、携帯端末の製造工程において、携帯端末の表の面の作業と裏面の作業とを１つの治具で行うことができる携帯端末用の治具に関する。
【背景技術】
【０００２】
携帯端末の製造工程において、携帯端末の表の面のネジ締め作業と裏面のネジ締め作業を行う場合、携帯端末の表の面用の治具と裏面用の治具を用いていた。作業者は、まず、最初に表の面用の治具に携帯端末の表の面を天地の天側に向けて装着して、表の面のネジ締めを行う。そして、携帯端末を表の面用の治具から取り外して裏返して、裏面用の治具に携帯端末の裏面を天側に向けて装着して、裏面のネジ締めを行っていた。
【０００３】
この製造方法および治具では、２種類の治具が必要で作業台のスペースを多く必要とする。また、携帯端末を裏返して治具間の置き換えが必要なため、携帯端末に傷を付けるおそれが増える。したがって、治具間の置き換えを必要とせずに、１台の治具に携帯端末を装着して、治具を操作性よく簡単に天地を裏返して安定に水平状態に保持できる製造用の治具が望まれる。
【０００４】
このようなネジ締め作業ではないが、携帯電話機の外装体の塗装を行う製造方法と治具がある（例えば、特許文献１参照。）。この特許文献１では、治具５に携帯電話機の外装体１０を載せ、その上にマスキング型１１を載せて、スピンドル４を回転、すなわち、治具５、外装体１０、マスキング型１１が水平面に平行に回転しながら、治具５の上部と下部に備わる噴射ノズル２で外装体１０のマスキング型１１で覆われた以外の部分である両サイドＳ（側面部）の吹き付け塗装を行っている。この文献には、携帯電話機の外装体１０や治具５を天地裏返す記載はない。
【先行技術文献】
【特許文献】
【０００５】
【特許文献１】特開２００３−１０３２１５号公報（段落００１５、図１）
【発明の概要】
【発明が解決しようとする課題】
【０００６】
本発明は、ネジ締め作業などのように、天側から行うほうが作業性のよい作業に関して、携帯端末の表の面に対する作業と、裏面に対する作業を行う場合に、治具間の置き換えを必要とせずに、１台の治具に携帯端末を装着した後、携帯端末ごと治具を天地裏返す操作と、水平状態に安定に保持する操作とが１つの操作で簡単に行うことができ、作業効率向上および携帯端末の傷防止も行うことができる携帯端末用の治具を提供することを目的とする。
【課題を解決するための手段】
【０００７】
上記目的を達成するために、本発明の携帯端末用の治具は、土台と、この土台に支えられ、水平な回転軸を中心にして回転する回転台とを備える治具であって、前記回転台は、前記回転軸の両端部の第１の軸部および第２の軸部と、前記回転軸全体を含む一平面上で、前記第１の軸部と第２の軸部間の第１の軸部側寄りの位置で回転軸を挟んで直交して対峙する第１の係止部および第２の係止部と、前記第１の係止部に取り付けられた第１のベアリングと、前記一平面上で、前記第１の軸部と第２の軸部間の第２の軸部側寄りの位置で回転軸を挟んで直交して対峙する第３の係止部および第４の係止部と、前記第３の係止部に取り付けられて、前記第１のベアリングと同じ直交方向に位置する第２のベアリングと、前記一平面上で、前記第２の軸部の近傍で、前記第１のベアリングと逆の直交方向に位置する取っ手と、携帯端末の第１の作業面およびその裏側の第２の作業面が前記一平面に平行になるように携帯端末を装着する端末装着部とを備え、前記土台は、前記回転台の前記一平面が水平な状態のときに前記第１の軸部を支持する第１の軸支持穴が形成され、前記回転台の取っ手を天方向に持ち上げながら前記回転軸を中心に回転中のときに前記第１の軸部のガイドとなる第１のガイド穴が前記第１の軸支持穴に繋がって形成された第１の軸受け部と、前記回転台の前記一平面が水平な状態のときに前記第２の軸部を支持する第２の軸支持穴が形成され、前記回転台の取っ手を天方向に持ち上げながら前記回転軸を中心に回転中のときに前記第２の軸部のガイドとなる第２のガイド穴が前記第２の軸支持穴に繋がって形成された第２の軸受け部と、前記回転台の前記一平面が水平な状態のときに前記第１の係止部および第２の係止部をそれぞれ支持する第１の係止受け部および第２の係止受け部が形成され、前記回転台の取っ手を天方向に持ち上げながら前記回転軸を中心に回転中のときに前記第１のベアリングのガイドとなる円弧状の凹部が前記第１の係止受け部と第２の係止受け部間に形成された第１のベアリング受け部と、前記回転台の前記一平面が水平な状態のときに前記第３の係止部および第４の係止部をそれぞれ支持する第３の係止受け部および第４の係止受け部が形成され、前記回転台の取っ手を天方向に持ち上げながら前記回転軸を中心に回転中のときに前記第２のベアリングのガイドとなる円弧状の凹部が前記第３の係止受け部と第４の係止受け部間に形成された第２のベアリング受け部とを備えることを特徴とする。
【発明の効果】
【０００８】
本発明の携帯端末用の治具によれば、治具に携帯端末を装着した後、携帯端末ごと治具を天地裏返す操作と、水平状態に安定に保持する操作とが１つの操作で簡単に行うことができる。それにより、携帯端末の両面のネジ締めを天側から作業性良く行うことができる。
【図面の簡単な説明】
【０００９】
【図１】本発明の実施例に係る治具１００に携帯端末２００を装着した構造図。
【図２】本発明の実施例に係る治具１００の構造図。
【図３】本発明の実施例に係る治具１００の回転台１１０の端末装着部４０の構造図。
【図４】本発明の実施例に係る治具１００の回転台１１０の回転を説明するための回転軸方向の側面図。
【発明を実施するための形態】
【００１０】
図１は、本発明の実施例に係る治具１００に携帯端末２００を装着した構造図である。作業台３００上に設置された状態での側面図を示し、治具関係を１００番台以下、携帯端末関係を２００番台で表す。
【００１１】
治具１００は、携帯端末２００が装着される回転台１１０と、この回転台１１０を支える土台１２０とから構成される。回転台１１０は、水平な回転軸を中心にして、携帯端末２００ごと１８０度回転し、作業者は、携帯端末２００の両面それぞれの作業を天側から行う。
【００１２】
携帯端末２００は、第１筐体２１０と第２筐体２２０とが折り畳み式に連結された構造であり、開かれた状態で、回転台１１０の外ケース受け部２０と内ケース受け部３０の間に挟まれて装着される。
【００１３】
携帯端末２００は、第２筐体２２０の内ケース２２１側のネジ締め作業と、その裏面の外ケース２２２側のネジ締め作業が必要であるが、回転台１１０を１８０度回転することにより、上記両面のネジ締め作業を天側から行うことができる。
【００１４】
通常、１８０度回転させて水平な状態で安定に保持するためには、１８０度回転させる構造と、水平な状態で安定に保持するための構造とが別々に設けられて、回転させる操作と、水平な状態で安定に保持するための操作とを別々に行う必要があるが、本発明では、１つの操作で簡単に行うことができ、その構造について、以下詳しく説明する。
【００１５】
図２は、本発明の実施例に係る治具１００の構造図であり、左側の図は天側から見た主面図、右側の図は回転軸方向の側面図である。図２（Ａ）の回転台１１０が、（Ｂ）の土台１２０の天側に組み込まれて、治具１００を構成する。
【００１６】
［（Ａ）回転台１１０］
回転台１１０は、主板１０に、第１ベアリング板１１、第２ベアリング板１２、板１３がネジで固定されている。第１ベアリング板１１は、両端に第１係止部１と第２係止部２が形成され、さらに、第１係止部１に第１ベアリング５が固定される。また、第１ベアリング板１１の中心部には、回転台１１０全体の回転の中心となる回転軸上に第１軸部７が固定される。
【００１７】
第２ベアリング板１２は、両端に第３係止部３と第４係止部４が形成され、さらに、第３係止部３に第２ベアリング６が固定される。
【００１８】
板１３の中心部には、回転台１１０全体の回転の中心となる回転軸上に第２軸部８が固定される。取っ手９は、取っ手９自体が板１３に対して回転可能に、板１３の端部に取り付けられる。
【００１９】
上記の第１ベアリング板１１と第２ベアリング板１２の間の主板１０上には、さらに、外ケース受け部２０が設けられて、携帯端末２００の第２筐体２００の外ケース２２２が載置される部分となる。
【００２０】
以上の各部の位置関係について、次に説明する。回転台１１０全体の回転の中心となる回転軸上の両端に第１軸部７と第２軸部８とが設けられる。この回転軸全体を含む仮想平面の１つを第１平面と定義する。この第１平面上に、第１係止部１、第２係止部２、第３係止部３、第４係止部４、第１ベアリング５、第２ベアリング６、第１軸部７、第２軸部８、取っ手９が位置するように形成される。
【００２１】
第１係止部１および第２係止部２は、回転軸を挟んで直交して対峙する。第３係止部３および第４係止部４は、回転軸を挟んで直交して対峙する。第１ベアリング５は第１係止部１に固定され、第２ベアリング６は第３係止部３に取り付けられる。第１ベアリング５と第２ベアリング６とは、回転軸に対して直交する方向は同じ方向である。取っ手９は、第１ベアリング５および第２ベアリング６とは、回転軸に対して逆の直交方向、すなわち、はすかいの位置に設けられる。
【００２２】
外ケース受け部２０に携帯端末２００が載置されたとき、携帯端末２００の第２筐体２００の内ケース２２１の面と外ケース２２２の面は、第１平面と平行である。
【００２３】
作業者は、取っ手９をつかんで天方向に持ち上げながら回転軸を中心に回転させることにより、回転台１１０全体が１８０度回転する。回転角度が０度では、第１平面が水平となって、携帯端末２００の第２筐体２００の内ケース２２１の面も水平となって、天側を向く。回転角度が１８０度では、第１平面が水平となって、携帯端末２００の第２筐体２００の外ケース２２２の面も水平となって、天側を向く。
【００２４】
なお、第１軸部７は、第１ベアリング板１１に固定されているが、第２軸部８と第２ベアリング板１２の関係のように、離れた位置に設けてもよい。また、主板１０、第１ベアリング板１１、第２ベアリング板１２、板１３などで構成したが、上記回転軸および第１平面に対して位置付けされた各部の位置関係となる構造であれば、主板１０、第１ベアリング板１１、第２ベアリング板１２、板１３などは、どのような構成でもよい。
【００２５】
次に、土台１２０について説明する。 
［（Ｂ）土台１２０］
土台１２０は、主板６０に、第１軸受け板金５７、第２軸受け板金５８、第１ベアリング受け板６１、第２ベアリング受け板６２がネジで固定されている。第１軸受け板金５７と第２軸受け板金５８は、それぞれ、回転台１１０の第１軸部７と第２軸部８の受け部である。第１ベアリング受け板６１、第２ベアリング受け板６２は、それぞれ、回転台１１０の第１ベアリング板１１と第２ベアリング板１２の受け部である。
【００２６】
第１軸受け板金５７は、側面図に示すように、回転台１１０の第１軸部７の支持を行う小さい第１軸支持穴５７ａと、同じ第１軸部７のガイドとなる大きい第１軸ガイド穴５７ｂとが繋がって形成されている。第２軸受け板金５８も同様に、第２軸部８の支持を行う小さい第２軸支持穴５８ａと、同じ第２軸部８のガイドとなる大きい第２軸ガイド穴５８ｂとが繋がって形成されている。
【００２７】
第１ベアリング受け板６１は、側面図に示すように、両端に、回転台１１０の第１係止部１と第２係止部２の係止を行う第１係止受け部５１と第２係止受け部５２が形成され、さらに、この間に、第１ベアリング５のガイドとなる円弧状の凹部である第１ベアリングガイド面５５が形成されている。
【００２８】
第２ベアリング受け板６２も同様に、両端に、回転台１１０の第３係止部３と第４係止部４の係止を行う第３係止受け部５３と第４係止受け部５４が形成され、さらに、この間に、第２ベアリング６のガイドとなる円弧状の凹部である第２ベアリングガイド面５６が形成されている。 
土台１２０上での回転台１１０の回転動作については、後（図４）で詳しく説明する。
【００２９】
図３は、本発明の実施例に係る治具１００の回転台１１０の端末装着部４０の構造図であり、左側の図は天側から見た主面図、右側の図は回転軸方向の側面図である。
【００３０】
端末装着部４０は、外ケース受け部２０と内ケース受け部３０により構成され、
外ケース受け部２０の天側に内ケース受け部３０がヒンジにより連結されて開閉する構造であり、両者の間に携帯端末２００の第２筐体２２０が挟まれて保持される。
【００３１】
内ケース受け部３０は、ヒンジ３１、ストッパー３２などを有し、２個の作業穴３３が形成されている。作業穴３３は、第２筐体２２０の内ケース２２１側の２箇所のネジ止め作業を行うための穴である。
【００３２】
外ケース受け部２０は、ヒンジ２１、ストッパー２２などを有し、３個の作業穴２３が形成されている。作業穴２３は、第２筐体２２０の外ケース２２２側の３箇所のネジ止め作業を行うための穴である。
【００３３】
ヒンジ３１とヒンジ２１とが連結されて、ヒンジ軸を中心に内ケース受け部３０と外ケース受け部２０とが開閉する。内ケース受け部３０を開いた状態で携帯端末２００の第２筐体２２０を装着し、内ケース受け部３０を閉じてストッパー３２をストッパー２２に嵌合させて、間に挟まれた携帯端末２００の脱落を防ぐ。携帯端末２００が内ケース受け部３０と外ケース受け部２０との間に挟まれた状態は、図１に示したとおりである。
【００３４】
この端末装着部により、携帯端末２００の内ケース２２１および外ケース２２２の作業面が回転台１１０の第１平面に平行に保持されたまま、脱落することなく、回転台１１０とともに回転する。
【００３５】
図４は、本発明の実施例に係る治具１００の回転台１１０の回転を説明するための回転軸方向の側面図である。第１軸部７側から見た図であり、第２軸部側は不図示だが、同様の動きであり、説明を省略する。
【００３６】
回転台１１０の第１平面が水平な状態（回転角０度）では、第１軸部７は、第１軸支持穴５７ａの地面方向に接触して支持されており、また、水平方向には動けない状態である。第１係止部１は、第１係止受け部５１に係止され、天地方向には作業に支障のない程度の若干のガタがあり、また、水平方向には動けない状態である。第２係止部２は、第２係止受け部５２に係止され、天地方向には作業に支障のない程度の若干のガタがあり、また、水平方向には動けない状態である。携帯端末２００の内ケース２２１（不図示）の面は、天側を向いている。
【００３７】
したがって、この回転角０度の状態では、天側から力を加える内ケース２２１の面のネジ止め作業に対して、回転台１１０は安定して保持されており、ネジ止め作業を安定に行うことができる。
【００３８】
次に、作業者が、取っ手９を天方向に持ち上げて第１軸部７が第１軸支持穴５７ａから外れ、さらに第１軸部７が第１軸ガイド穴５７ｂの内縁に沿うように取っ手９を回転させると、第１係止部１は、第１係止受け部５１から外れて、第１ベアリング５が第１ベアリングガイド面５５に沿って移動し、回転角４５度や９０度で図示した状態となる。
【００３９】
作業者が、さらに、取っ手９を１８０度まで回転させると、第１軸部７は、再び、第１軸支持穴５７ａに入って支持が安定する。また、第１係止部１が第２係止受け部５２に係止され、第２係止部２が第１係止受け部５１に係止されて安定する。この状態では、携帯端末２００の外ケース２２２（不図示）の面は、天側を向いている。
【００４０】
したがって、この回転角１８０度の状態では、天側から力を加える外ケース２２２の面のネジ止め作業に対して、回転台１１０は安定して保持されており、ネジ止め作業を安定に行うことができる。
【００４１】
実際の作業工程の順番は、回転角０度の状態で、内ケース受け部３０を開いて、携帯端末２００を装着して、内ケース受け部３０を閉じてロックする。次に、取っ手９を持ち上げて１８０度回転させて、携帯端末２００の外ケース２２２側を天側に向けて水平に保持する。その１８０度の状態で、携帯端末２００の外ケース２２２側のネジ止め作業を３個の作業穴２３にネジドライバー工具を通して行う。
【００４２】
次に、取っ手９を持ち上げて０度まで回転させて戻し、携帯端末２００の内ケース２２１側を天側に向けて水平に保持する。その０度の状態で、携帯端末２００の内ケース２２１側のネジ止め作業を２個の作業穴３３にネジドライバー工具を通して行う。そして、内ケース受け部３０を開いて、携帯端末２００を取り外す。
【００４３】
本発明の実施例によれば、治具に携帯端末２００を装着した後、治具１１０を回転させる操作と、治具１１０を水平な状態で保持する操作とが、取っ手９を持ち上げて回転させるだけの一連の操作で簡単に行うことができる。それにより、携帯端末の両面のネジ締めを天側から効率良く行うことができる。また、携帯端末２００は１台の治具１００に１回装着と脱着を行うのみで済むので、携帯端末２００を傷付けるおそれを減らすことができる。
【００４４】
なお、実施例は、携帯端末２００の両面のネジ止め作業について説明したが、ネジ止め以外の調整などの他の作業であってもよい。また、携帯端末２００は、携帯電話機、ＰＨＳ、データ端末などの折り畳み式構造の装置に適用することができる。
【符号の説明】
【００４５】
１  第１係止部
２  第２係止部
３  第３係止部
４  第４係止部
５  第１ベアリング
６  第２ベアリング
７  第１軸部
８  第２軸部
９  取っ手
１０  主板
１１  第１ベアリング板
１２  第２ベアリング板
１３  板
２０  外ケース受け部
２１  ヒンジ
２２  ストッパー
２３  作業穴
３０  内ケース受け部
３１  ヒンジ
３２  ストッパー
３３  作業穴
４０  端末装着部
５１  第１係止受け部
５２  第２係止受け部
５３  第３係止受け部
５４  第４係止受け部
５５  第１ベアリングガイド面
５６  第２ベアリングガイド面
５７  第１軸受け板金
５７ａ  第１軸支持穴
５７ｂ  第１軸ガイド穴
５８  第２軸受け板金
５８ａ  第２軸支持穴
５８ｂ  第２軸ガイド穴
６０  主板
６１  第１ベアリング受け板
６２  第２ベアリング受け板
１００  治具
１１０  回転台
１２０  土台
２００  携帯端末
２１０  第１筐体
２２０  第２筐体
２２１  内ケース
２２２  外ケース
３００  作業台
【図１】
2010162625.tif 000003
【図２】
2010162625.tif 000004
【図３】
2010162625.tif 000005
【図４】
2010162625.tif 000006